(57)【特許請求の範囲】
【請求項１】
撮影レンズと、
上記撮影レンズを通過した光を受光して電気信号に変換して画像データを生成する撮像部と、
上記画像データが表示される表示部と、
上記撮影レンズを移動させながら上記画像データに基づいて上記画像データに含まれる複数のエリアごとの合焦状態を検出する合焦状態検出手段と、
を備えた撮像装置において、
上記合焦状態検出手段が検出した合焦状態から、上記複数のエリアの少なくとも一つのエリアに合焦位置が存在し、かつ上記複数のエリアの所定のエリアにおいて上記撮影レンズの最至近位置に対応する撮影距離より上記撮像装置側に被写体が存在すると判断された場合に、上記撮影レンズを至近側の所定位置に移動させるとともに、上記画像データから焦点情報を算出し、上記焦点情報を上記表示部に表示する表示モードを有することを特徴とする撮像装置。
【請求項２】
撮影レンズと、
上記撮影レンズを通過した光を受光して電気信号に変換して画像データを生成する撮像部と、
上記画像データが表示される表示部と、
上記撮影レンズを移動させながら上記画像データに基づいて上記画像データに含まれる複数のエリアごとの合焦状態を検出する合焦状態検出手段と、
を備えた撮像装置において、
上記合焦状態検出手段が検出した合焦状態から、上記複数のエリアの全てのエリアにおいて上記撮影レンズの最至近位置に対応する撮影距離より上記撮像装置側に被写体が存在すると判断された場合に、上記撮影レンズを至近側の所定位置に移動させるとともに、上記画像データから焦点情報を算出し、上記焦点情報を上記表示部に表示する表示モードを有することを特徴とする撮像装置。
【請求項３】
撮影レンズと、
上記撮影レンズを通過した光を受光して電気信号に変換して画像データを生成する撮像部と、
上記画像データが表示される表示部と、
を備え、
上記撮影レンズを至近側の所定位置に移動させる前の位置である移動前レンズ位置と至近側の上記所定位置との差が所定値以上の場合に、上記撮影レンズを至近側の上記所定位置に移動させるとともに、上記画像データから焦点情報を算出し、上記焦点情報を上記表示部に表示する表示モードを有することを特徴とする撮像装置。
【請求項４】
上記撮影レンズを上記移動前レンズ位置から上記所定位置に移動させながら上記画像データに基づいて上記画像データに含まれる複数のエリアごとの合焦状態を検出する合焦状態検出手段を更に備え、
上記合焦状態検出手段が検出した合焦状態から、上記複数のエリアの少なくとも一つのエリアに合焦位置が存在し、かつ上記複数のエリアに上記合焦位置が上記撮影レンズの最至近位置に相当する焦点検出エリアが存在する場合には、上記表示部に上記焦点検出エリアを表示することを特徴とする請求項３記載の撮像装置。
【請求項５】
上記焦点情報とはエッジ情報であり、
上記表示モードとは、上記画像データの上記エッジ情報を視認可能に表示させるモードであることを特徴とする請求項１から４のいずれか１項に記載の撮像装置。
【請求項６】
上記撮影レンズの至近側の上記所定位置とは、最至近位置であることを特徴とする請求項１から５のいずれか１項に記載の撮像装置。
【請求項７】
撮影レンズと、
上記撮影レンズを通過した光を受光して電気信号に変換して画像データを生成する撮像部と、
上記画像データが表示される表示部と、
上記撮影レンズを移動させながら上記画像データに基づいて上記画像データに含まれる複数のエリアごとの合焦状態を検出する合焦状態検出手段と、
を備える撮像装置に実行させる表示処理方法であり、
上記撮像装置に、
上記合焦状態検出手段が検出した合焦状態から、上記複数のエリアの少なくとも一つのエリアに合焦位置が存在し、かつ上記複数のエリアの所定のエリアにおいて上記撮影レンズの最至近位置に対応する撮影距離より上記撮像装置側に被写体が存在すると判断された場合に、上記撮影レンズを至近側の所定位置に移動させ、上記画像データから焦点情報を算出し、上記焦点情報を上記表示部に表示させる処理、
を実行させることを特徴とする表示処理方法。
【請求項８】
撮影レンズと、
上記撮影レンズを通過した光を受光して電気信号に変換して画像データを生成する撮像部と、
上記画像データが表示される表示部と、
上記撮影レンズを移動させながら上記画像データに基づいて上記画像データに含まれる複数のエリアごとの合焦状態を検出する合焦状態検出手段と、
を備える撮像装置に実行させる表示処理方法であり、
上記撮像装置に、
上記合焦状態検出手段が検出した合焦状態から、上記複数のエリアの全てのエリアにおいて上記撮影レンズの最至近位置に対応する撮影距離より上記撮像装置側に被写体が存在すると判断された場合に、上記撮影レンズを至近側の所定位置に移動させるとともに、上記画像データから焦点情報を算出し、上記焦点情報を上記表示部に表示するステップ、
を実行させることを特徴とする表示処理方法。
【請求項９】
撮影レンズと、
上記撮影レンズを通過した光を受光して電気信号に変換して画像データを生成する撮像部と、
上記画像データが表示される表示部と、
を備える撮像装置に実行させる表示処理方法であり、
上記撮像装置に、
上記撮影レンズを至近側の所定位置に移動させる前の位置である移動前レンズ位置と至近側の上記所定位置との差が所定値以上の場合に、上記撮影レンズを至近側の上記所定位置に移動させるとともに、上記画像データから焦点情報を算出し、上記焦点情報を上記表示部に表示させるステップ、
を実行させることを特徴とする表示処理方法。
【発明の詳細な説明】
【技術分野】
【０００１】
本発明は、手動または自動での焦点検出を行う際の撮像装置と撮像装置に実行させる表示処理方法に関するものである。
【背景技術】
【０００２】
一般的なディジタルスチルカメラ等の撮像装置は、被写体に対して自動的に焦点を合わせることができるオートフォーカス（以下「ＡＦ」という。）機能を搭載している。
【０００３】
ＡＦ機能が用いるＡＦ制御方法の一例として、いわゆる山登りＡＦ制御方法が知られている（例えば、特許文献１参照。）。山登りＡＦ制御方法では、撮像素子が出力する映像信号から近接画素の輝度差の積分値を求める。そして、山登りＡＦ制御方式では、この積分値が合焦度合いを示すＡＦ評価値となる。
【０００４】
ここで、山登りＡＦ制御方式のＡＦ評価値について説明する。被写体が合焦状態にあるとき、映像信号における被写体の輪郭部分は明りょうである。そのため、この映像信号における近接画素間の輝度差は大きくなる。つまり、合焦状態ではＡＦ評価値は大きくなる。
【０００５】
一方、非合焦状態にあるとき、被写体の輪郭部分が不明りょうになる。このため、この映像信号における近接画素間の輝度差は小さくなる。つまり、非合焦状態ではＡＦ評価値は小さくなる。
【０００６】
このようなＡＦ評価値を用いて、山登りＡＦ制御方式では、以下の通り合焦状態を判断して合焦位置を検出する。すなわち、山登りＡＦ制御方式では、レンズを移動させながら所定のタイミングで、そのレンズ位置の映像信号を取得してＡＦ評価値を算出する。
【０００７】
そして、山登りＡＦ制御方式では、ＡＦ評価値の最大値（ＡＦ評価値のピーク位置）を検出して合焦位置を検出する。この山登りＡＦ制御方式によれば、ＡＦ評価値が最大となる位置にレンズを移動して停止させることで、被写体に対して自動的に焦点を合わせることができる。
【０００８】
ところで、ＡＦ機能を有する撮像装置を使用する場合であっても、使用者がオートフォーカスに頼らずマニュアルでフォーカスを合わせて、被写体に近い位置で撮影したい場合がある。このような場合に使用者を補助する技術として、例えば、合焦しているか否かを容易に確認させるためにエッジ強調する技術が知られている(例えば、特許文献２、特許文献３参照。)。
【０００９】
ここで、撮像装置には、ピーク位置を合わせることできる（被写体にピントを合わせることができる）最短の距離として、最短撮影距離が定められている。そのため、被写体に近い位置で撮影しようとした場合に、使用者は、撮像素子もしくはその撮像装置のフォーカスレンズ先端から被写体までの距離（撮影距離）が最短撮影距離より長いことを確認して撮影する必要がある。
【００１０】
しかしながら、従来の技術では、実際の撮影距離が所定の距離（例えば、最短撮影距離）より長いか否かは、使用者が目測、または実測で確認する必要があった。例えば、目測による確認方法としては、撮像装置を少しずつ移動させて撮影し、その画像データを拡大しながら確認するといった方法が挙げられる。
【００１１】
また、特許文献２や３の技術を用いた場合であっても、現在の撮影位置で合焦しているか否かは確認できたとしても、現在の撮影位置が最短撮影距離より離れているか否かを確認することはできなかった。
【００１２】
以上の通り、従来の技術では、実際にその撮像装置と被写体との位置が、最短撮影距離より離れているか否かを確認することが容易ではない。
【発明の概要】
【発明が解決しようとする課題】
【００１３】
本発明は上記の課題に鑑みてなされたものであって、撮像装置と被写体との位置関係を使用者に容易に認識させることができる撮像装置と表示処理方法とを提供することを目的とする。
【課題を解決するための手段】
【００１４】
本発明は、撮影レンズと、撮影レンズを通過した光を受光して電気信号に変換して画像データを生成する撮像部と、画像データが表示される表示部と、撮影レンズを移動させながら画像データに基づいて画像データに含まれる複数のエリアごとの合焦状態を検出する合焦状態検出手段と、を備えた撮像装置において、合焦状態検出手段が検出した合焦状態から、上記複数のエリアの少なくとも一つのエリアに合焦位置が存在し、かつ複数のエリアの所定のエリアにおいて撮影レンズの最至近位置に対応する撮影距離より撮像装置側に被写体が存在すると判断された場合に、撮影レンズを至近側の所定位置に移動させるとともに、画像データから焦点情報を算出し、焦点情報を上記表示部に表示する表示モードを有することを特徴とする。
【発明の効果】
【００１５】
本発明によれば、撮像装置と被写体との位置関係を使用者に容易に認識させることができる。
【図面の簡単な説明】
【００１６】
【図１】本発明に係る撮像装置の実施の形態を示す正面図である。
【図２】上記撮像装置の上面図である。
【図３】上記撮像装置の背面図である。
【図４】上記撮像装置の電気的制御系統の例を示す機能ブロック図である。
【図５】上記撮像装置のエッジ検出処理部による処理を示すフローチャートである。
【図６】上記撮像装置で用いるエッジ抽出フィルタの一例である、微分フィルタを示す模式図である。
【図７】上記撮像装置のファインダモード時の表示データの一例を示す模式図である。
【図８】上記撮像装置におけるフォーカスと露光のタイミングを示すタイミングチャートである。
【図９】上記撮像装置におけるＡＦ枠の一例を示す模式図である。
【図１０】上記撮像装置の通常モード画面とエッジ抽出モード画面での表示例を示す模式図である。
【図１１】上記撮像装置による表示処理を示すフローチャートである。
【図１２】上記撮像装置の別の表示処理を示すフローチャートである。
【図１３】上記撮像装置によるＡＦ処理を示すフローチャートである。
【図１４】エリア判定処理における評価値パターンの一例を示す模式図である。
【図１５】エリア判定処理を示すフローチャートである。
【図１６】上記撮像装置のさらに別の表示処理を示すフローチャートである。
【図１７】上記表示処理方法における別のエリア判定処理を示すフローチャートである。
【図１８】上記撮像装置のエッジ抽出モードでの表示例を示す模式図である。
【発明を実施するための形態】
【００１７】
以下、本発明に係る撮像装置と表示処理方法の実施の形態について、図面を参照しながら説明する。本発明に係る撮像装置は、後述するように、本発明に係る表示処理方法による画像データの表示処理機能を有する。
【００１８】
なお、本機能の実現方法としては、撮像装置とは別の表示装置への表示処理方法として実現されるようにしてもよい。
【００１９】
●撮像装置の実施の形態●
図１は、本発明に係る表示処理方法を実行する撮像装置の実施の形態を示す正面図である。図１において、撮像装置１の筐体であるカメラボディＣＢの正面には、ストロボ発光部３、ファインダ４の対物面、リモコン受光部６及び撮像レンズを含む撮像光学系を構成する鏡胴ユニット７が配置されている。カメラボディＣＢの一方の側面部には、メモリカード装填室及び電池装填室の蓋２が設けられている。
【００２０】
図２は、撮像装置１の上面図である。図２において、カメラボディＣＢの上面には、レリーズスイッチＳＷ１、モードダイアルＳＷ２及びサブ液晶ディスプレイ（サブＬＣＤ）。以下「液晶ディスプレイ」を「ＬＣＤ」という。）１１が配置されている。
【００２１】
図３は、撮像装置１の背面図である。図３において、カメラボディＣＢの背面には、ファインダ４の接眼部、ＡＦ用発光ダイオード（以下「発光ダイオード」を「ＬＥＤ」という。）８、ストロボＬＥＤ９、被写体画像と拡大画像及び各種設定画面を表示する表示部としてのＬＣＤモニタ１０、電源スイッチ１３、広角方向ズームスイッチＳＷ３、望遠方向ズームスイッチＳＷ４、セルフタイマの設定及び解除スイッチＳＷ５、メニュースイッチＳＷ６、上移動及びストロボセットスイッチＳＷ７、右移動スイッチＳＷ８、ディスプレイスイッチＳＷ９、下移動及びマクロスイッチＳＷ１０、左移動及び画像確認スイッチＳＷ１１、ＯＫスイッチＳＷ１２、クイックアクセススイッチＳＷ１３、が配置されている。
【００２２】
●撮像装置の機能ブロック●
次に、撮像装置１の機能ブロックの例について説明する。図４は、撮像装置１の機能構成例を示す機能ブロック図である。
【００２３】
撮像装置１の各種動作（処理）は、ディジタル信号処理ＩＣ（集積回路）等で構成されるディジタルスチルカメラプロセッサ１０４（以下「プロセッサ１０４」という。）と、プロセッサ１０４において動作する撮像プログラムによって制御される。画像処理手段であるプロセッサ１０４は、第１のＣＣＤ（電荷結合素子）信号処理ブロック１０４−１と、第２のＣＣＤ信号処理ブロック１０４−２と、ＣＰＵ（中央処理ユニット）ブロック１０４−３と、ローカルＳＲＡＭ（ＳＲＡＭ：スタティックランダムアクセスメモリ）１０４−４と、ＵＳＢ（ユニバーサルシリアルバス）ブロック１０４−５と、シリアルブロック１０４−６と、ＪＰＥＧコーデック（ＣＯＤＥＣ）ブロック１０４−７と、リサイズ（ＲＥＳＩＺＥ）ブロック１０４−８と、ＴＶ信号表示ブロック１０４−９と、メモリカードコントローラブロック１０４−１０と、を有してなる。これら各ブロックは相互にバスラインで接続されている。
【００２４】
プロセッサ１０４の外部には、ＲＡＷ−ＲＧＢ画像データ、ＹＵＶ画像データ及びＪＰＥＧ画像データを保存するためのＳＤＲＡＭ（シンクロナスランダムアクセスメモリ）１０３、ＲＡＭ１０７、内蔵メモリ１２０及び撮像プログラムである制御プログラムが格納されているＲＯＭ１０８、が配置されており、これらはバスラインを介してプロセッサ１０４に接続している。
【００２５】
プロセッサ１０４は、ＲＯＭ１０８に格納されている不図示の各種制御プログラムを実行し、各種制御プログラムによる機能を実現する。ＳＤＲＡＭ１０３は、フレームメモリに相当する。
【００２６】
ＲＯＭ１０８に格納されている各種制御プログラムには、本発明に係る撮像装置における表示処理方法をプロセッサ１０４に実行させるプログラムである、表示処理プログラム２０が含まれる。
【００２７】
つまり、撮像装置１において、ＲＯＭ１０８に格納される表示処理プログラム２０をプロセッサ１０４に実行させ、ＳＤＲＡＭ１０３、ＲＡＭ１０７、内蔵メモリ１２０を使用することにより、撮像装置１に実行させる表示処理方法に関する機能を実現している。
【００２８】
表示処理プログラム２０は、上述の手段を実現するために、レンズ移動処理部１０８−１、表示モード設定処理部１０８−２、自動焦点検出（ＡＦ）処理部１０８−３（合焦状態検出手段に相当する）、エッジ検出処理部１０８−４の機能を有している。
【００２９】
プロセッサ１０４は、主にＣＰＵブロック１０４−３等がバスで接続されたコンピュータを実体とし、ＲＯＭ１０８に記憶された表示処理プログラム２０をＣＰＵブロック１０４−３が実行することで、画像データに対して以下で説明する表示処理が施される。
【００３０】
表示処理プログラム２０は、あらかじめ、ＲＯＭ１０８に記憶される。ここで、表示処理プログラム２０は、メモリカード１９２に記憶させて、メモリカードスロット１９１を介してＲＯＭ１０８に読み込むことができる。あるいは、ネットワーク（不図示）を介して表示処理プログラム２０をＲＯＭ１０８にダウンロードしてもよい。
【００３１】
本発明に係る撮影レンズとしての鏡胴ユニット７は、ズームレンズ７−１ａを有するズーム光学系７−１、フォーカスレンズ７−２ａを有するフォーカス光学系７−２、絞り７−３ａを有する絞りユニット７−３およびメカニカルシャッタ７−４ａを有するメカシャッタユニット７−４，を備えている。これらによって撮像光学系が構成される。
【００３２】
ズーム光学系７−１，フォーカス光学系７−２，絞りユニット７−３およびメカシャッタユニット７−４はそれぞれＺＯＯＭモータ７−１ｂ、フォーカスレンズ移動手段としてのＦＯＣＵＳモータ７−２ｂ、絞りモータ７−３ｂおよびメカシャッタモータ７−４ｂによって駆動される。これらＺＯＯＭモータ７−１ｂ、ＦＯＣＵＳモータ７−２ｂ、絞りモータ７−３ｂおよびメカシャッタモータ７−４ｂの各モータは、プロセッサ１０４のＣＰＵブロック１０４−３によって制御されるモータドライバ７−５によって動作が制御される。
【００３３】
鏡胴ユニット７を構成するズームレンズ７−１ａとフォーカスレンズ７−２ａは、撮像素子であるＣＣＤ（Charge Coupled Device）１０１の受光面上に被写体像を結像させる撮像レンズを構成する。ＣＣＤ１０１は、受光面に結像された被写体像を電気的な画像信号に変換してＦ／Ｅ−ＩＣ（フロントエンドＩＣ）１０２に出力する。
【００３４】
なお、本実施の形態において、撮像素子は、ＣＣＤに限らず、例えばＣＭＯＳ（Complementary Metal Oxide Semiconductor）を用いてもよい。
【００３５】
Ｆ／Ｅ−ＩＣ１０２は、ＣＤＳ（相関２重サンプリング部）１０２−１、ＡＧＣ（自動利得制御部）１０２−２及びＡ／Ｄ（アナログ−ディジタル）変換部１０２−３を有し、被写体像から変換された画像信号に対して、所定の処理を施し、ディジタル信号に変換する。変換されたディジタル画像信号は、第１のＣＣＤ信号処理ブロック１０４−１に入力される。これらの信号処理動作は、プロセッサ１０４の第１のＣＣＤ信号処理ブロック１０４−１から出力されるＶＤ信号（垂直駆動信号）とＨＤ信号（水平駆動信号）により、ＴＧ（タイミングジェネレータ）１０２−４を介して制御される。
【００３６】
ここで、ＣＣＤ１０１、ＣＤＳ１０２−１、ＡＧＣ１０２−２、Ａ／Ｄ変換器１０２−３、プロセッサ１０４は、本発明に係る撮像部に相当する。
【００３７】
プロセッサ１０４のＣＰＵブロック１０４−３は、音声記録回路１１５−１による音声記録動作を制御する。音声記録回路１１５−１は、マイクロホン１１５−３で変換されマイクロホンアンプ１１５−２によって増幅した音声信号を、ＣＰＵブロック１０４−３の指令に応じて記録する。また、ＣＰＵブロック１０４−３は、音声再生回路１１６−１の動作も制御する。音声再生回路１１６−１は、ＣＰＵブロック１０４−３の指令により、適宜なるメモリに記録されている音声信号をオーディオアンプ１１６−２で増幅してスピーカ１１６−３に入力し、スピーカ１１６−３から音声を再生する。また、ＣＰＵブロック１０４−３は、ストロボ回路１１４を制御して動作させることによってストロボ発光部３から照明光を発光させる。また、ＣＰＵブロック１０４−３は、被写体距離を測定する測距ユニット５の動作も制御する。
【００３８】
なお、本発明に係る撮像装置において、測距ユニット５による被写体距離の測定は必須ではなく、例えば測距ユニット５を省いてもよい。
【００３９】
また、測距ユニットを搭載する場合に、測距ユニットによる被写体距離の測定情報をストロボ回路１１４におけるストロボ発光制御に利用してもよい。あるいは、測距ユニットによる被写体距離の測定情報を、撮像された画像データに基づく合焦制御に対して補助的に利用するようにしてもよい。
【００４０】
また、ＣＰＵブロック１０４−３は、プロセッサ１０４の外部に配置されたサブＣＰＵ１０９にも結合されており、サブＣＰＵ１０９は、ＬＣＤドライバ１１７を介してサブＬＣＤ１１による表示を制御する。また、サブＣＰＵ１０９は、ＡＦ用ＬＥＤ８，ストロボＬＥＤ９，リモコン受光部６，上記スイッチＳＷ１〜ＳＷ１３からなる操作部１１２およびブザー１１３にもそれぞれ結合されている。
【００４１】
ＵＳＢブロック１０４−５は、ＵＳＢコネクタ１２２に結合されており、シリアルブロック１０４−６は、シリアルドライバ回路１２３−１を介してＲＳ−２３２Ｃコネクタに結合されている。ビデオ信号表示ブロック１０４−９は、ＬＣＤドライバ１１７を介してＬＣＤモニタ１０に結合されており、また、ＴＶ信号表示ブロック１０４−９は、ビデオアンプ１１８を介してビデオジャック１１９にも結合されている。
【００４２】
なお、ビデオ信号表示ブロック１０４−９、ＬＣＤドライバ１１７、ＬＣＤモニタ１０、ＴＶ信号表示ブロック１０４−９、ビデオアンプ１１８、ビデオジャック１１９、及び不図示の外部モニタは、本発明に係る表示部に相当する。
【００４３】
メモリカードコントローラブロック１０４−１０は、メモリカードスロット１９１のカード接点に結合されており、メモリカードがこのメモリカードスロット１９１に装填されると、メモリカードの接点に接触して電気的に接続する。
【００４４】
第１のＣＣＤ信号処理ブロック１０４−１は、ＣＣＤ１０１からＦ／Ｅ−ＩＣ１０２を経由して入力されたディジタル画像データに対して、ホワイトバランス調整及びγ調整等の信号処理を行うとともに、ＶＤ信号及びＨＤ信号を出力する。
【００４５】
また、ＣＰＵブロック１０４−３は、ストロボ回路１１４を制御して動作させることによってストロボ発光部３から照明光を発光させる。
【００４６】
ＵＳＢブロック１０４−５は、ＵＳＢコネクタ１２２に結合される。シリアルブロック１０４−６は、シリアルドライバ回路１２３−１を介してＲＳ−２３２Ｃコネクタ１２３−２に結合される。
【００４７】
ＴＶ信号表示ブロック１０４−９は、ＬＣＤドライバ１１７を介してＬＣＤモニタ１０に結合され、また、ＴＶ信号表示ブロック１０４−９は、ビデオアンプ（ＡＭＰ）１１８を介してビデオジャック１１９にも結合される。
【００４８】
メモリカードコントローラブロック１０４−１０は、メモリカードスロット１９１のカード接点に結合されている。メモリカード１９２がこのメモリカードスロット１９１に装填されると、メモリカード１９２の接点に接触して電気的に接続され、装填されたメモリカード１９２に画像ファイルを記憶する。
【００４９】
●撮像装置の動作●
次に、撮像装置１の動作について説明をする。図１から図４に示した撮像装置１において、モードダイアルＳＷ２を記録モードに設定することによって、当該撮像装置が記録モードで起動する。モードダイアルＳＷ２の設定は、図４における操作ｋｅｙユニット（ＳＷ１〜ＳＷ１３）に含まれるモードダイアルＳＷ２の状態が記録モード−オンになったことをサブＣＰＵ１０９経由でＣＰＵブロック１０４−３が検知し、モータドライバ７−５を制御して、鏡胴ユニット７を撮像可能な位置に移動させる。さらにＣＣＤ１０１、Ｆ／Ｅ−ＩＣ１０２およびＬＣＤモニタ１０等の各部に電源を投入して動作を開始させる。各部の電源が投入されると、ファインダモードの動作が開始される。
【００５０】
ファインダモードにおいては、鏡胴ユニット７の撮像レンズを通して撮像素子であるＣＣＤ１０１に入射した光は、電気信号に変換されてＲＧＢのアナログ信号としてＣＤＳ１０２−１に入力し、ＡＧＣ１０２−２を介してＡ／Ｄ変換器１０２−３に送られる。
【００５１】
Ａ／Ｄ変換器１０２−３でディジタル信号に変換されたＲ、Ｇ、Ｂの各信号は、プロセッサ１０４内の第２のＣＣＤ信号処理ブロック１０４−２によって達成されるＹＵＶ変換手段でＹＵＶ画像データに変換されて、フレームメモリとしてのＳＤＲＡＭ１０３に記録される。
【００５２】
なお、第２のＣＣＤ信号処理ブロック１０４−２は、ＲＧＢ画像データにフィルタリング処理を施してＹＵＶ画像データへ変換する。このＹＵＶ画像データは、ＣＰＵブロック１０４−３により、読み出され、ビデオ信号表示ブロック１０４−９を介してビデオアンプ１１８およびビデオジャック１１９を介して不図示のＴＶ（テレビジョン）、あるいはＬＣＤドライバ１１７を介してＬＣＤモニタ１０などの表示部に送られて表示される。この処理が１／３０秒間隔で行われることで、１／３０秒毎に更新される表示部におけるファインダモードの表示画像となる。
【００５３】
ファインダモードの表示画像に関して、本実施の形態では２種類の表示方法が選択できる。一つは「通常モード」、そしてもう一つは「エッジ抽出モード」である。「通常モード」、「エッジ抽出モード」は、以下に説明するエッジ検出処理部１０８−４によるフィルタリング処理によって変更される。
【００５４】
図５は、撮像装置１のエッジ検出処理部１０８−４による処理を示すフローチャートである。エッジ検出処理部１０８−４は、フィルタリング前のＹ信号に対する処理モードを判定する（Ｓ１）。
【００５５】
通常モードの場合には、エッジ検出処理部１０８−４は、ＲＧＢから変換したＹＵＶ信号のＹ信号に対してそのまま出力して終了する。
【００５６】
エッジ抽出モードの場合には、エッジ検出処理部１０８−４は、フィルタリング前のＹ信号に対してエッジ抽出フィルタ処理を行う（Ｓ２）。そして、エッジ検出処理部１０８−４は、Ｓ２の処理後ゲイン乗算処理を行い（Ｓ３）、フィルタリング処理後のＹ信号として出力する。
【００５７】
フィルタリング処理に用いるエッジ抽出フィルタとしては、微分フィルタ、Ｓｏｂｅｌフィルタ、Ｒｏｂｅｒｔｓフィルタ等の様々なフィルタが存在し、本発明においては任意のエッジ抽出フィルタを用いることができる。
【００５８】
図６は、撮像装置１で用いるエッジ抽出フィルタの一例である微分フィルタを示す。図６において、符号６０は、水平方向の微分フィルタであり、符号６１は垂直方向の微分フィルタである。このようなエッジ抽出フィルタを用いることで、処理前の画像データ（第２のＣＣＤ信号処理ブロック１０４−２により生成された画像データ）からエッジ情報が抽出される。
【００５９】
図７は、撮像装置１のファインダモード時の画像データの一例を示す模式図である。図７において、符号３０は通常モードの画像データ、符号３１は通常モードの画像データ３０からエッジを抽出した状態の画像データ、符号３２はエッジ抽出モードの画像データである。エッジ抽出モードの画像データ３２は、エッジを抽出した状態の画像データ３１から白黒を反転させて、抽出したエッジを強調した画像である。
【００６０】
また、操作部のレリーズスイッチＳＷ１が押下されると、第１のＣＣＤ信号処理ブロック１０４−１に取り込まれたディジタルＲＧＢ画像データより、画面内の所定の少なくとも一部における合焦の度合いを示すＡＦ評価値および露光状態を示すＡＥ評価値が算出される。ＡＦ評価値は、特徴データとしてＣＰＵブロック１０４−３に読み出されて、自動焦点検出処理部１０８−３として機能するＡＦ処理に利用される。
【００６１】
合焦状態にある被写体は、そのエッジ部分が鮮明であるため、画像データに含まれる空間周波数の高周波成分が最も高くなる。山登りＡＦ制御方式の場合に被写体の画像データを用いて算出するＡＦ評価値は、例えば変位量に対する微分値のように、高周波成分の高さを反映した値となるように設定される。
【００６２】
そこで、山登りＡＦ制御方式では、このＡＦ評価値が極大値（ピーク）となる画像データを取得したフォーカスレンズ７−２ａの位置を合焦位置とする。すなわち、山登りＡＦ制御方式によれば、ＡＦ評価値のピーク位置を検出することで合焦位置を特定することができる。
【００６３】
また、ＡＦ評価値の極大点が複数現れることも考慮する場合には、複数のピーク位置におけるＡＦ評価値の大きさ、及び、その周辺位置のＡＦ評価値の下降または上昇の度合いなども考慮する。その上で、最も信頼性があると推定される極大点を合焦位置とするＡＦ処理を行う。
【００６４】
ＡＦ処理を行うには、フォーカスレンズ７−２ａを移動させながら所定の位置（タイミング）においてＡＦ評価値を取得し、取得したＡＦ評価値を用いて合焦状態の判定と合焦位置の特定を行う。
【００６５】
次に、ＡＦ処理時におけるフォーカスレンズ７−２ａの駆動タイミングとＡＦ評価値の取得タイミングの関係について説明する。フォーカスレンズ７−２ａの駆動量は１回のＶＤ信号に対応して、モータドライバ７−５が所定のフォーカス駆動量を設定する。フォーカス駆動量とは、例えばフォーカスモータ７−２ｂがパルスモータである場合は、駆動パルス数に相当する。
【００６６】
１回のフォーカスレンズ７−２ａの駆動は、ＶＤ信号のパルスの立下りに対応して所定のパルスレートで所定の駆動パルス数だけフォーカスレンズ７−２ａを駆動することで終了する。モータドライバ７−５は、次のＶＤ信号パルスの立下りに対応して再度、所定のフォーカス駆動を制御する。モータドライバ７−５は、このようにフォーカス駆動をＶＤ信号（すなわちフレーム周期）に同期させる。
【００６７】
図８は、撮像装置１におけるフォーカスと露光のタイミングを示すタイミングチャートの一例を示す図である。図８では、３０ｆｐｓのフレームレートで画像データの取り込みを行う場合のＶＤ信号と、フォーカスレンズ７−２ａのフォーカス駆動タイミング、電子シャッタにおける電荷掃き出しパルス（ＳＵＢ）のタイミング、及び露光タイミングを示している。
【００６８】
１回のＶＤ信号が発生すると、それをトリガーとしてフォーカスレンズ７−２ａを駆動するパルスが２回発生し、この２つの駆動パルスに対応した駆動量だけフォーカスレンズ７−２ａが移動する。
【００６９】
また、ＶＤ信号をトリガーとして電荷掃き出しパルスが所定回数発生し、ＳＵＢの数に応じて、ＣＣＤ１０１に帯電している電荷の掃き出し処理を行なう。
【００７０】
また、ＣＣＤ１０１において、電荷掃き出し処理が終了した後に露光処理が行なわれる。露光処理によって、被写体の映像が画像データとして取り込まれる。ＣＣＤ信号１処理ブロック１−４−１は、この画像データを用いてＡＦ評価値を取得する。駆動パルス数は可変であり、焦点距離、フォーカスレンズ繰り出し量（フォーカス駆動範囲）に応じて変化する。
【００７１】
以上のように、本実施例に係るＡＦ処理は、ＶＤ信号に同期して第１のＣＣＤ信号処理ブロック１０４−１が、フォーカスレンズ７−２ａの駆動範囲内において行う。
【００７２】
ＡＦ評価値は、ディジタルＲＧＢ画像データ内の特定の範囲（ＡＦ処理エリア）から算出することができる。
【００７３】
図９は上記撮像装置におけるＡＦ枠の一例を示す模式図である。図９において、ＬＣＤモニタ１０の中心部に表示されている枠が撮像装置におけるＡＦ処理エリアであり、通常ＡＦ枠４０とマルチＡＦ枠４１とを示す。
【００７４】
通常ＡＦ枠４０は、例えばＲＧＢ画像データの画面内の中央の水平方向の４０％および垂直方向の３０％の範囲を設定する。
【００７５】
マルチＡＦ枠４１は、各エリアを水平方向２０％および垂直方向の２０％の範囲として、９つのエリアを設定する。撮像装置１では、通常ＡＦ枠４０とマルチＡＦ枠４１の双方を設定できるようにしている。
【００７６】
●実施例１●
次に、本発明に係る表示処理方法の実施の形態について、その一例を実施例１として説明する。実施例１は、マニュアルフォーカス（以下「ＭＦ」ともいう。）処理のモードでの使用時に、フォーカスレンズ７−２ａの所定位置における合焦位置に対して、被写体がどのような位置関係にあるのかを、ファインダやＬＣＤモニタ１０によって容易に視認させるための例である。詳細には、実施例１は、フォーカスレンズ７−２ａの最至近位置における最短撮影距離より被写体が離れているか否かを容易に視認させるための例である。
【００７７】
図１０は、撮像装置１の通常モード画面とエッジ抽出モード画面の表示例を示す模式図である。図１０において、符号５０が通常モード画面の表示例であり、符号５１がエッジ抽出モード画面の表示例である。
【００７８】
なお、実施例１において、ファインダモード時の既定（デフォルト）の表示状態は、通常モード画面５０である。
【００７９】
図１１は、撮像装置１による表示処理を示すフローチャートである。
【００８０】
レンズ移動処理部１０８−１は、フォーカスレンズ７−２ａを動かす所定の条件の一例である、ＯＫスイッチＳＷ１２の押下が、使用者によってされたか否かを確認する（Ｓ１０１）。
【００８１】
ＯＫスイッチＳＷ１２が使用者によって押下された場合には（Ｓ１０１：ＹＥＳ）、レンズ移動処理部１０８−１は、フォーカスレンズ７ー２ａを最至近位置へ移動させる（Ｓ１０２）。ここで、最至近位置とは、撮像装置１に備わっているズームレンズ７−１ａとフォーカスレンズ７−２ａとの画角によって定める位置であり、最短撮影距離のレンズ位置である。また、最短撮影距離とは、ズームレンズ７−１ａとフォーカスレンズ７−２ａとによって一意に定まる距離であり、被写体に焦点を合わせることができる最短の撮影距離である。
【００８２】
なお、ＯＫスイッチＳＷ１２が押下されない場合には（Ｓ１０１：ＮＯ）、レンズ移動処理部１０８−１はＳ１０１の処理を繰り返す。
【００８３】
レンズ位置が最至近位置に移動した後、表示モード設定処理部１０８−２は、ファインダモード時の表示モードをエッジ抽出モードに変更する。
【００８４】
エッジ抽出モードに変更後、エッジ検出処理部１０８−４は、画像データからエッジ情報を抽出してエッジ抽出モード画面５１を算出する（Ｓ１０３）。
【００８５】
エッジ抽出モード画面５１において、合焦情報５２として表示されるのは矩形枠の範囲である。撮像装置１は、被写体をエッジ抽出モード画面５１で表示するとともに、合焦情報５２を表示することにより、実際に合焦している箇所と合焦状態とを使用者に容易に視認させることができる。
【００８６】
エッジ抽出モード画面５１で合焦情報５２を表示後、撮像装置１は、レリーズスイッチＳＷ１が押下されてもオートフォーカス（以下「ＡＦ」ともいう。）処理を行わないようにするために、焦点検出モードをＭＦに変更する（Ｓ１０４）。このようにすることで、使用者は、合焦情報５２を参照して被写体に対する撮像装置１の位置を移動させ、すぐに撮影に移ることができる。
【００８７】
なお、エッジ抽出モード画面５１のＬＣＤモニタ１０への表示は、例えば再度ＯＫスイッチＳＷ１２が押下されたときに解除されて通常モード画面５０に移行するようにしてもよい。
【００８８】
●実施例１の作用・効果●
撮像装置１は、被写体からの光を通過させて被写体の像を結像させる撮影レンズ（鏡胴ユニット７）と、撮影レンズを通過した光を受光して電気信号に変換して被写体の画像データを生成する撮像部（ＣＣＤ１０１、ＣＤＳ１０２−１、ＡＧＣ１０２−２、Ａ／Ｄ変換器１０２−３、プロセッサ１０４）と、生成された画像データが表示される表示部（ビデオ信号表示ブロック１０４−９、ＬＣＤドライバ１１７、ＬＣＤモニタ１０、ＴＶ信号表示ブロック１０４−９、ビデオアンプ１１８、ビデオジャック１１９）と、を備え、所定の条件を満たす場合に、撮影レンズを至近側の所定位置に移動させるとともに、画像データから焦点情報を算出し、算出された焦点情報を視認可能に表示させる表示モードにより表示部に画像データを表示することを特徴とする。
【００８９】
この撮像装置１によれば、所定の条件で撮影レンズが所定位置へ移動し、被写体のエッジ成分を抽出して表示部に、焦点情報の一例として合焦情報５２を視認可能に表示させることで、撮影レンズの焦点と被写体との位置関係（合焦状態）を使用者に容易に認識させることができる。そして、この撮像装置１によれば、撮影レンズの至近側の所定位置周辺で撮影する際に、撮像装置１や撮影レンズの位置を微調整するような場合に、使用者が容易に焦点を合わせることができるため、撮影までの時間を短縮させることが可能となる。
【００９０】
また、撮像装置１において、所定の条件を満たす場合とは、撮像装置１の操作部（例えば、ＯＫスイッチＳＷ１２などの操作部１１２の各種スイッチ）が操作された場合である。この撮像装置１によれば、使用者の操作に基づいて上述の表示処理方法を実行させることができ、使用者の利便性を向上させることができる。
【００９１】
また、撮像装置１において、焦点情報とはエッジ情報であり、表示モードとは、画像データのエッジ情報を視認可能に表示させるモードである。この撮像装置１によれば、被写体のエッジ成分を抽出して表示部に、焦点情報の一例としてエッジ抽出モード画面５１で合焦情報５２を視認可能に表示させることで、被写体のエッジが高い、つまりピントがあっているかどうかを確認することができる。
【００９２】
さらに、撮像装置１において、撮影レンズの至近側の所定位置とは、最至近位置である。この撮像装置１によれば、撮影レンズの最至近位置における撮像装置１の最短撮影距離と被写体との位置関係を、使用者に容易に視認させることができる。
【００９３】
●実施例２●
次に、本発明に係る表示処理方法の実施の形態の別の一例を実施例２として説明する。実施例２の表示処理方法では、ＡＦ処理のモードでの使用時に、所定エリアで合焦しているか否かの判断にあたり、合焦状態検出手段（自動焦点検出処理部）により合焦位置を算出する。そして、実施例２の表示処理方法では、この合焦位置を所定の条件としてこれを満たすか否かを判断して、フォーカスレンズ７−２ａを移動させてＬＣＤモニタ１０に焦点情報を表示させる。
【００９４】
なお、実施例２において、ファインダモード時の既定（デフォルト）の表示状態は、通常モード画面５０である。
【００９５】
図１２は、撮像装置１の別の表示処理を示すフローチャートである。
【００９６】
まず、レンズ移動処理部１０８−１は、所定の条件の一例である操作部への操作として、レリーズスイッチＳＷ１が押下されているかどうかを判断する（Ｓ３０１）。ここで、レリーズＳＷ１が押下されているか否かの判断なしに実施例２の表示処理方法（後述するＳ３０２以降の処理）を実行してもよい。
【００９７】
なお、レリーズスイッチＳＷ１が押下されない場合には（Ｓ３０１：ＮＯ）、レンズ移動処理部１０８−１はＳ３０１の処理を繰り返す。
【００９８】
レリーズスイッチＳＷ１が押下されている場合には（Ｓ３０１：ＹＥＳ）、自動焦点検出処理部１０８−３は、ＡＦ処理を行う（Ｓ３０２）。実施例２では、ＡＦ処理を行うＡＦエリアは、マルチＡＦ枠４１とする。
【００９９】
図１３は、撮像装置１によるＡＦ処理を示すフローチャートである。
【０１００】
まず、自動焦点検出処理部１０８−３は、ＶＤ信号の立ち下がりを検出するまで待ち処理を行なう（Ｓ４０１）。
【０１０１】
自動焦点検出処理部１０８−３は、ＶＤ信号の立ち下がりを検出した後に、所定パルス数に応じてフォーカスモータ７−２ｂを駆動し、フォーカスレンズ７−２ａを移動する（Ｓ４０２）。
【０１０２】
自動焦点検出処理部１０８−３は、フォーカスレンズ７−２ａを移動した後に映像信号を第１のＣＣＤ信号処理ブロック１０４−１から取得し、この映像信号に基づく画像データ（ディジタルＲＧＢ画像データ）によってＡＦ評価値を算出する（Ｓ４０３）。
【０１０３】
自動焦点検出処理部１０８−３は、フォーカスレンズ７ー２ａの位置情報を取得し、フォーカスレンズ７−２ａ位置が駆動終了位置に達しているか否かを判断する（Ｓ４０４）。フォーカスレンズ７−２ａ位置が駆動終了位置に達していない場合には（Ｓ４０４：ＮＯ）、自動焦点検出処理部１０８−３は、Ｓ４０１の処理に戻る。
【０１０４】
フォーカスレンズ７−２ａの位置が終了位置に達している場合には（Ｓ４０４：ＹＥＳ）、自動焦点検出処理部１０８−３は、算出したＡＦ評価値を用いて合焦状態検出処理を行い（Ｓ４０５）、ＡＦ処理を終了する。
【０１０５】
次に、合焦状態検出処理について説明する。合焦状態検出処理とは、ＡＦエリア毎にＡＦ評価値のパターンを検出して、合焦位置を検出して特定する処理である。ＡＦ評価値のパターンとしては、大きく分けて３パターン存在する。
【０１０６】
図１４は、エリア判定処理における評価値パターンの一例を示す模式図である。図１４において、（Ａ）は評価値の山が検出できるため合焦位置を特定できる「パターン１」、（Ｂ）は最短撮影距離よりも近い場所に被写体が存在することから、評価値が合焦位置をピークに単調減少している「パターン２」、（Ｃ）は評価値から判断して画像データにコントラストがないため合焦位置が検出不可能な「パターン３」である。
【０１０７】
合焦状態検出処理では、自動焦点検出処理部１０８−３は、この３つのパターンのどれかを判断し、パターン１であれば合焦位置を特定し、パターン２であれば近距離ＮＧ判定を行い、パターン３であれば合焦位置検出不可能という判定を行う。
【０１０８】
合焦位置の検出方法としては、評価値をさらに平滑微分することでその微分値から判断する方法等様々な方法があり、そのいずれの方法を用いることができる。
【０１０９】
自動焦点検出処理部１０８−３は、以上のＡＦ処理の結果に基づいて、エリア判定処理を行う（Ｓ３０３）。
【０１１０】
図１５は、エリア判定処理を示すフローチャートである。
【０１１１】
自動焦点検出処理部１０８−３は、合焦状態検出処理で合焦位置の有無が判定されたマルチＡＦ枠４１の各エリアについて、ＡＦ評価値のパターンを検出する（Ｓ６０１）。
【０１１２】
ＡＦ評価値のパターンを検出した自動焦点検出処理部１０８−３は、検出した評価値の中にパターン１の評価値があるか否かを判断する（Ｓ６０２）。
【０１１３】
Ｓ６０２の処理について、パターン１の評価値を有するエリアが存在する場合（Ｓ６０２：ＹＥＳ）には、自動焦点検出処理部１０８−３は、そのエリアの中で最も至近を示すエリアを、最至近エリアとして選択する（Ｓ６０３）。
【０１１４】
なお、最至近エリアの選択判定処理において、必要に応じて選択判定のアルゴリズムを変更してもよい。
【０１１５】
次に、自動焦点検出処理部１０８−３は、マルチＡＦ枠４１の中央部分のエリア（図９のマルチＡＦ枠４１の５番）のＡＦ評価値が、ＡＦ処理内の合焦状態検出処理においてどのパターンであるかどうかを判断する（Ｓ６０４）。
【０１１６】
Ｓ６０４の処理について説明すると、マルチＡＦ枠４１の中央のエリアのＡＦ評価値がパターン２であると判断できれば、被写体が立体的で中央部分が突出している可能性があることが推測できる。その場合には、結果として焦点位置が被写体より後方にある、いわゆる後ピン状態になってしまうことがあり得る。
【０１１７】
そこで、本実施例では、後ピン状態をＳ６０４の処理で検出する。すなわち、中央エリアの５番がパターン２である場合（Ｓ６０６：ＹＥＳ）、自動焦点検出処理部１０８−３は、中央エリア以外にパターン１のエリアがあるため、後ピン状態（近距離ＮＧ）であると判断する（Ｓ６０７）。
【０１１８】
また、中央エリアがパターン１である場合は、中央エリアで合焦検出されているため、自動焦点検出処理部１０８−３は、ＡＦ処理ＯＫと判定する（Ｓ６０８）。
【０１１９】
Ｓ６０２の処理において、マルチＡＦ枠４１のエリアにパターン１のエリアがない場合（Ｓ６０２：ＮＯ）には、全てのエリアがパターン２であるか否かを判断する（Ｓ６０５）。
【０１２０】
Ｓ６０５の処理において、全てのエリアがパターン２である場合（Ｓ６０５：ＹＥＳ）には、自動焦点検出処理部１０８−３は、Ｓ６０７と同様に近距離ＮＧと判定する（Ｓ６０９）。
【０１２１】
一方、Ｓ６０５の処理において、全てのエリアがパターン２ではない場合（Ｓ６０５：ＮＯ）には、自動焦点検出処理部１０８−３は、Ｓ６０２の処理においてパターン１のエリアがないと判断されているため、全てのエリアで合焦不可能であると判断してＡＦ処理ＮＧの判定を行う（Ｓ６１０）。
【０１２２】
エリア判定処理後、レンズ移動処理部１０８−１は、エリア判定処理の結果に基づいて、フォーカスレンズ７−２ａの位置を移動させる。
【０１２３】
すなわち、レンズ移動処理部１０８−１は、エリア判定処理の結果、中央エリアで合焦可能（ＡＦ処理ＯＫ）である場合は（Ｓ３０４：ＹＥＳ）、合焦可能位置にフォーカスレンズ７ー２ａを移動させる（Ｓ３０５）。フォーカスレンズ７−２ａの移動後、表示モード設定処理部１０８−２は、合焦可能位置における被写体上の合焦エリアを表示する（Ｓ３０７）。
【０１２４】
また、レンズ移動処理部１０８−１は、中央エリアで合焦不可能の場合（Ｓ３０４：ＮＯ）には、エリア判定処理で近距離ＮＧ（Ｓ６０７，Ｓ６０９）と判定されたか否かを判断する（Ｓ３０６）。
【０１２５】
エリア判定処理で近距離ＮＧと判定された場合（Ｓ３０６：ＹＥＳ）は、レンズ移動処理部１０８−１は、フォーカスレンズ７−２ａを最至近位置に移動させる（Ｓ３０８）。フォーカスレンズ７−２ａの移動後、表示モード設定処理部１０８−２は、表示モードを「エッジ抽出モード」に変更する（Ｓ３０９）。エッジ検出処理部１０８−４は、実施例１のＳ１０３と同様に、画像データからエッジ情報を抽出してエッジ抽出モード画面５１を算出する。
【０１２６】
なお、エリア判定処理においてＡＦ処理ＮＧ判定（Ｓ６１０）がされた場合には、レンズ移動処理部１０８−１は、フォーカスレンズ７ー２ａを過焦点位置へ移動させる（Ｓ３１０）。このとき、表示モード設定処理部１０８−２は、通常ＡＦ枠４０を点滅表示させるなどして、ＡＦ処理ができなかったことを使用者に通知してもよい。
【０１２７】
また、エッジ抽出モード画面５１の表示は、レリーズスイッチＳＷ１が押下されている期間のみ表示するようにし、レリーズスイッチＳＷ１が離されたときに解除されて通常モード画面５０に戻るようにするとよい。
【０１２８】
●実施例２の作用・効果●
撮像装置１は、撮影レンズを移動させながら画像データに基づいて画像データに含まれる複数のエリアごとの合焦状態を検出する合焦状態検出手段（自動焦点検出処理部１０８−３）を更に備え、所定の条件を満たす場合とは、合焦状態検出手段が検出した合焦状態から、複数のエリアの少なくとも一つのエリアに合焦位置が存在し（Ｓ６０２：ＹＥＳ）、かつ複数のエリアの所定のエリアにおいて撮影レンズの最至近位置に対応する撮影距離より撮像装置１側に被写体が存在すると判断された場合（Ｓ６０６：ＹＥＳ）である。
【０１２９】
また、所定の条件を満たす場合とは、合焦状態検出手段が検出した合焦状態から、複数のエリアの全てのエリアにおいて撮影レンズの最至近位置に対応する撮影距離より撮像装置側に被写体が存在すると判断された場合である（Ｓ６０９）。
【０１３０】
この撮像装置１によれば、ＡＦ処理を行った位置では後ピンであることを自動焦点検出処理部１０８−３が検出し、そのことを表示モード設定処理部１０８−２とエッジ検出処理部１０８−４が表示モードをエッジ抽出表示モードに変更することで、使用者に対して後ピンであることを伝えることができる。
【０１３１】
また、撮像装置によれば、最至近位置で合焦している場所が視認しやすいため、その後撮像装置を移動させたりしてマルチＡＦ枠４１の中央エリア付近で焦点を合わせる機会を与えることができる。
【０１３２】
さらに、本実施例によって、撮像装置の最短撮影距離と被写体距離との関係が判断しやすいため、使用者の使用感を向上させることができる。
【０１３３】
●実施例３●
次に、本発明に係る表示処理方法の実施の形態のさらに別の一例を実施例３として説明する。実施例３は、実施例１と同様のＭＦ処理のモードでの使用時に、至近側の所定位置と移動する前のレンズ位置との差が所定値以上である場合にはＡＦ処理によってフォーカスレンズ７−２ａを移動させ、所定値以下であれば実施例１と同様の処理を行う。
【０１３４】
図１６は、撮像装置１による実施例３の表示処理を示すフローチャートである。
【０１３５】
なお、実施例３において、ファインダモード時の既定（デフォルト）の表示状態は、通常モード画面５０である。
【０１３６】
レンズ移動処理部１０８−１は、フォーカスレンズ７−２ａを動かす条件である、ＯＫスイッチＳＷ１２の押下が、使用者によってされたか否かを確認する（Ｓ２０１）。ここで、レリーズＳＷ１が押下されているか否かの判断なしに実施例３の表示処理方法（後述するＳ２０２以降の処理）を実行してもよい。
【０１３７】
ＯＫスイッチＳＷ１２が使用者によって押下された場合には（Ｓ２０１：ＹＥＳ）、レンズ移動処理部１０８−１は、現在のフォーカスレンズ７−２ａ位置と至近側の所定位置（本実施例において最至近位置）との差が、所定範囲以上であるか否かを判断する（Ｓ２０２）。
【０１３８】
Ｓ２０２の処理において、上述の差が所定範囲以上であるか否かの判断に関しては、例えばＡＦ評価値を基準に判断することが考えられる。ＡＦ評価値を基準に判断する場合には、現在のフォーカスレンズ７ー２ａ位置のＡＦ評価値と最至近位置のＡＦ評価値とで、少なくとも評価値数の差が４つ以上なければ合焦位置検出の際にパターンを判定できない。
【０１３９】
そのため、上述の差が所定範囲以上であるか否かの判断にあたっては、評価値数の差が４つ以上あるか否かを基準に考える。
【０１４０】
ただし、ＡＦ処理にあたって、フォーカスモータ７−２ｂのパルスレートを、通常駆動するパルスレートよりも遅くすることで、評価値数の差を４つ以上にさせることは可能であるため、そのような方法で評価値数の差を広げてもよい。
【０１４１】
現在のフォーカスレンズ７ー２ａの位置と最至近位置との差が所定範囲より離れている場合（Ｓ２０２：ＮＯ）には、自動焦点検出処理部１０８−３は、処理開始位置を現在のフォーカスレンズ７−２ａ位置、処理終了位置を最至近位置としたＡＦ処理を行う（Ｓ２０３）。ここで、ＡＦ処理は、実施例２で説明した図１３のフローチャートと同様の処理を行う。評価値数の差が４以上である場合には最至近位置までフォーカスレンズ７−２ａの位置を移動させるＡＦ処理を行う。
【０１４２】
なお、上述の差が所定範囲内（Ｓ２０２：ＹＥＳ）である場合には、ＡＦ処理によるフォーカスレンズ７−２ａの移動ができないため、レンズ移動処理部１０８−１は、実施例１のＳ１０３と同様にフォーカスレンズ７−２ａを最至近位置に移動させる（Ｓ２０４）。
【０１４３】
次に、Ｓ２０３のＡＦ処理結果に基づいて、自動焦点検出処理部１０８−３は、表示モード設定処理を行うためのエリア判定処理を行う（Ｓ２０５）。
【０１４４】
図１７は、撮像装置による実施例３のエリア判定処理を示すフローチャートである。
【０１４５】
まず、自動焦点検出処理部１０８−３は、ＡＦ処理におけるＳ４０５の合焦状態検出処理で判定されたマルチＡＦ枠４１の各エリアに対して、評価値パターンを検出する処理を行う（Ｓ５０１）。
【０１４６】
評価値パターンを取得後、自動焦点検出処理部１０８−３は、合焦位置が検出されているパターン１のエリアがあるか否かを判断する（Ｓ５０２）。
【０１４７】
パターン１のエリアが存在する場合には（Ｓ５０２：ＹＥＳ）、自動焦点検出処理部１０８−３は、パターン１のエリアの中で最至近位置が合焦位置であるエリアを検索する（Ｓ５０３）。その際に最至近位置が合焦位置であるエリアが複数あった場合は、自動焦点検出処理部１０８−３は、全て記録する。
【０１４８】
なお、パターン１のエリアが存在しない場合には（Ｓ５０２：ＮＯ）、自動焦点検出処理部１０８−３はエリア判定処理を終了する。
【０１４９】
Ｓ２０５のエリア判定処理後、表示モード設定処理部１０８−２は、表示モードをエッジ抽出モードに変更する（Ｓ２０６）。また、表示モード設定処理部１０８−２は、エリア判定処理で検出されたパターン１の合焦エリアがある場合は、合焦エリアもＬＣＤモニタ１０に表示する。
【０１５０】
図１８は、実施例３のエッジ抽出モード画面５３の表示例を示す模式図である。エッジ抽出モード画面５３には、矩形枠でパターン１の合焦エリア表示（焦点検出エリア）５４が表示される。このようにすることで、撮像装置１によれば、最至近位置で合焦している場所を表示し、使用者に被写体と撮像装置１の位置を容易に視認させることができる。
【０１５１】
エッジ抽出モード画面５３で合焦エリア表示５４を表示後、撮像装置１は、レリーズスイッチＳＷ１が押下されてもＡＦ処理を行わないようにするために、焦点検出モードをＭＦに変更する（Ｓ２０７）。このようにすることで、使用者は、合焦エリア表示５４を参照して被写体に対する撮像装置１の位置を移動させ、すぐに撮影に移ることができる。
【０１５２】
なお、エッジ抽出モード画面５１のＬＣＤモニタ１０への表示は、例えば再度ＯＫスイッチＳＷ１２が押下されたときに解除されて通常モード画面５０に移行するようにしてもよい。
【０１５３】
なお、実施例３と実施例２との相違点は、実施例２が通常のＡＦ処理を行う際に被写体との距離に基づいて、距離が近い場合にエッジ抽出モード表示を行うのに対して、実施例３は最至近位置と現在のレンズ位置との差が所定範囲外の場合に、ＡＦ処理とエリア判定処理を行い、判定したエリアを表示しエッジ抽出モード表示を行う点である。
【０１５４】
●実施例３の作用・効果●
実施例３において、所定の条件を満たす場合とは、撮影レンズを至近側の所定位置に移動させる前の位置である移動前レンズ位置と至近側の所定位置との差が所定値以上の場合である。撮像装置１によれば、上述の差が所定値以上の場合にはレンズが至近側の所定位置に移動して表示部に焦点情報を表示させることができるので、撮影レンズの至近側の所定位置周辺で撮影する際に、撮像装置１や撮影レンズの位置を微調整するような場合に、使用者が容易に焦点を合わせることができるため、撮影までの時間を短縮させることが可能となる。
【０１５５】
また、撮像装置１は、撮影レンズを移動前レンズ位置から所定位置に移動させながら画像データに基づいて画像データに含まれる複数のエリアごとの合焦状態を検出する合焦状態検出手段を更に備え、合焦状態検出手段が検出した合焦状態から、複数のエリアの少なくとも一つのエリアに合焦位置が存在し、かつ複数のエリアに合焦位置が撮影レンズの最至近位置に相当する焦点検出エリアが存在する場合には、表示部に焦点検出エリアを表示する。
【０１５６】
そのため、撮像装置１によれば、移動前レンズ位置から撮影レンズの最至近位置に移動したときに、既に被写体の焦点検出エリアの検出が終了している。従って、撮像装置１によれば、その後のＭＦ操作によってフォーカスの変更度合いや、あるいは撮像装置１の移動度合いが容易に認識できるので、使用者の使用感を向上させることができる。
【符号の説明】
【０１５７】
１        ：撮像装置
７        ：鏡胴ユニット
１０      ：ＬＣＤモニタ
２０      ：表示処理プログラム
４０      ：通常ＡＦ枠
４１      ：マルチＡＦ枠
５０      ：通常モード画面
５１      ：エッジ抽出モード画面
５２      ：合焦情報
５３      ：エッジ抽出モード画面
５４      ：合焦エリア表示
１０１    ：ＣＣＤ
１０２−１：ＣＤＳ
１０２−２：ＡＧＣ
１０２−３：Ａ／Ｄ変換器
１０４    ：ディジタルスチルカメラプロセッサ
１０８−１：レンズ移動処理部
１０８−２：表示モード設定処理部
１０８−３：自動焦点検出処理部
１０８−４：エッジ抽出処理部
１１２    ：操作部
１２０    ：内蔵メモリ
【先行技術文献】
【特許文献】
【０１５８】
【特許文献１】特公昭３９−５２６５号公報
【特許文献２】特開２０１０−１１４５５６号公報
【特許文献３】特開２０１０−０１６７８３号公報
【図１】
0005884579.tif 000002
【図２】
0005884579.tif 000003
【図３】
0005884579.tif 000004
【図４】
0005884579.tif 000005
【図５】
0005884579.tif 000006
【図６】
0005884579.tif 000007
【図８】
0005884579.tif 000008
【図９】
0005884579.tif 000009
【図１１】
0005884579.tif 000010
【図１２】
0005884579.tif 000011
【図１３】
0005884579.tif 000012
【図１４】
0005884579.tif 000013
【図１５】
0005884579.tif 000014
【図１６】
0005884579.tif 000015
【図１７】
0005884579.tif 000016
【図７】
0005884579.tif 000017
【図１０】
0005884579.tif 000018
【図１８】
0005884579.tif 000019